(57)【要約】【課題】一つの部材をカウンターとして使用したり、あるいは、浴室の任意の位置に設置して椅子として使用することができ、使い勝手が良くなる。【解決手段】浴室１の壁２に取付け部３を設ける。カウンター部兼座面部となった上面部４と浴室１の床５に設置するための脚部６とを備えたカウンター兼椅子部材７に被取付け部８を設ける。カウンター兼椅子部材７の被取付け部８を上記取付け部３に着脱自在に取付ける。【選択図】図１
2008029430.tif 000002
【特許請求の範囲】
【請求項１】
浴室の壁に取付け部を設け、カウンター部兼座面部となった上面部と浴室の床に設置するための脚部とを備えたカウンター兼椅子部材に被取付け部を設け、上記カウンター兼椅子部材の被取付け部を上記取付け部に着脱自在に取付けて成ることを特徴とするカウンター兼椅子部材を備えた浴室の構造。
【請求項２】
カウンター兼椅子部材に該カウンター兼椅子部材よりも小さい小椅子を取り出し自在に収納してなることを特徴とする請求項１記載のカウンター兼椅子部材を備えた浴室の構造。
【請求項３】
浴室の床に設置したカウンター兼椅子部材の上面部に小椅子を重ねた状態で、小椅子の上面部が浴槽のフランジ部と同じレベルとなるように設定してあることを特徴とする請求項２記載のカウンター兼椅子部材を備えた浴室の構造。
【発明の詳細な説明】
【技術分野】
【０００１】
本発明は、カウンター兼椅子部材を備えた浴室の構造に関するものである。
【背景技術】
【０００２】
従来から浴室の壁には固定金具を用いてカウンターが固定してある（例えば、特許文献１参照）が、従来のカウンターは壁に取り外しができないように固定され、洗面器、石鹸、シャンプー等を置くものとしての機能しかなかった。
【０００３】
また、浴室に設けたシャワー装置に椅子を設け、該椅子に座ってシャワーを浴びることができるようにしたものが特許文献２により知られている。
【０００４】
しかしながら、特許文献２に示された椅子はシャワー装置に取付けられていて取り外しができないようになっており、シャワーを浴びるときにのみ座ることができるようになっているにすぎない。
【０００５】
また、一般に浴室の洗い場で身体を洗う場合、洗い場の床に専用の椅子を設置して身体を洗うようにしているが、この椅子は座るための機能しかなかった。
【０００６】
また、狭い浴室の場合、カウンターと、椅子の２部材が設置されると、スペース的に窮屈になるという問題があった。
【特許文献１】特開平７−４０８０号公報
【特許文献２】特開平１０−２８６５６号公報
【発明の開示】
【発明が解決しようとする課題】
【０００７】
本発明は上記の従来の問題点に鑑みて発明したものであって、一つの部材をカウンターとして使用したり、あるいは、浴室の任意の位置に設置して椅子として使用することができ、使い勝手が良くなり、また、小椅子を着脱自在に収納することで、親子がそれぞれ椅子に座ることができ、更に、安定して足湯浴ができるカウンター兼椅子部材を備えた浴室の構造を提供することを課題とするものである。
【課題を解決するための手段】
【０００８】
上記課題を解決するために本発明に係るカウンター兼椅子部材を備えた浴室の構造は、浴室１の壁２に取付け部３を設け、カウンター部兼座面部となった上面部４と浴室１の床５に設置するための脚部６とを備えたカウンター兼椅子部材７に被取付け部８を設け、上記カウンター兼椅子部材７の被取付け部８を上記取付け部３に着脱自在に取付けて成ることを特徴とするものである。
【０００９】
このような構成とすることで、カウンター兼椅子部材７に設けた被取付け部８を、浴室１の壁２に設けた取付け部３に取付けることで、カウンター兼椅子部材７を壁２に沿ったカウンターとして利用でき、カウンター兼椅子部材７の上面部４がカウンター部となって洗面器、石鹸、シャンプー等を載置することができる。一方、カウンター兼椅子部材７を椅子として使用したい場合は、被取付け部８を取付け部３から外すことで、浴室１内の任意の位置にカウンター兼椅子部材７を持って行って脚部６を洗い場の床５に設置するこことで、カウンター兼椅子部材７の上面部４を座部として座ることで椅子として利用することができる。
【００１０】
また、カウンター兼椅子部材７に該カウンター兼椅子部材７よりも小さい小椅子９を取り出し自在に収納してあることが好ましい。
【００１１】
このような構成とすることで、カウンター兼椅子部材７から小椅子９を取り出すことで子供用の椅子として使用でき、この場合、カウンター兼椅子部材７も被取付け部８を取付け部３から外して椅子として利用する場合、親子でそれぞれ独立して椅子に座って洗い合うことができる。また、小椅子９を使用しない場合は、カウンター兼椅子部材７に収納することで、邪魔にならないようにできる。
【００１２】
また、浴室１の床５に設置したカウンター兼椅子部材７の上面部４に小椅子９を重ねた状態で、小椅子９の上面部１２が浴槽１０のフランジ部１１と同じレベルとなるように設定してあることが好ましい。
【００１３】
このような構成とすることで、被取付け部８を取付け部３から取り外して浴槽１０に隣接して洗い場の床５に設置すると共に、該カウンター兼椅子部材７の上面部４に小椅子９を重ねることで、小椅子９の上面部１２が浴槽１０のフランジ部１１と同じレベルとなるため、このようにした状態で小椅子９の上面部１２とこれに同じレベルで連続する浴槽１０のフランジ部１１にかけて座って、両足を浴槽１０内に入れることで、安定した座り姿勢で足浴をすることができる。
【発明の効果】
【００１４】
本発明は、上記のように、カウンター兼椅子部材の被取付け部を取付け部に着脱自在に取付けてあるので、カウンター兼椅子部材を壁に取付けた状態ではカウンターとして使用できると共に、壁から取り外した状態で、カウンター兼椅子部材の脚部を浴室の床の任意の位置に設置することで、浴室の椅子として使用することができ、使い勝手が良くなる。
【発明を実施するための最良の形態】
【００１５】
以下、本発明を添付図面に示す実施形態に基いて説明する。
【００１６】
カウンター兼椅子部材７は、図１に示すように、カウンター部兼座面部となった上面部４と浴室１の床５に設置するための脚部６とを備えており、添付図面に示す実施形態においては、平面視長方形状または正方形状をしたカウンター部兼座面部となる平坦な上面部４の前後両端から下方に脚部６が垂設してあり、前後の脚部６の左右両端部間はそれぞれ左右方向に開口していて側方開口部１４となっている。
【００１７】
後の脚部６には被取付け部８が設けてある。添付図面に示す実施形態においては、図２に示すように、後の脚部６に開口部１５を形成し、開口部１５の上の縁部８ａが被取付け部８となっている。
【００１８】
また、カウンター兼椅子部材７の前後の脚部６の下部には互いに向き合う方向に載置部１６が突設してある。前後の脚部６間は小椅子９を収納するための小椅子収納部１７となっており、カウンター兼椅子部材７の上記側方開口部１４から該小椅子収納部１７内に小椅子９を入れて上記載置部１６に小椅子９を載置することで、小椅子９を小椅子収納部１７内に入れて収納した状態を保持するようになっている。
【００１９】
図１に示すように、小椅子９はカウンター兼椅子部材７よりも小さいもので、具体的には平面視の大きさがカウンター兼椅子部材７の平面視の大きさよりも小さく、且つ、高さがカウンター兼椅子部材７の高さよりも低いものである。なお、小椅子９はカウンター兼椅子部材７より比重の大きい材料（例えばＦＲＰ等）により形成して取扱いがしやすいようにし、特に、比重１以上として浴槽１０の浴水中に沈めることができるようにするのが好ましい。
【００２０】
小椅子９の下面部には下方に突出する嵌め込み部２０が設けてあり、カウンター兼椅子部材７の上面部４と載置部１６とにはそれぞれ凹部により構成した被嵌め込み部２１が設けてあり、小椅子９を小椅子収納部１７内に入れて上記載置部１６に載置した状態で嵌め込み部２０を載置部１６の被嵌め込み部２１に着脱自在に嵌め込むことで、小椅子９が横ずれして載置部１６から脱落しないようになっており、また、小椅子９をカウンター兼椅子部材７の上面部４に載置した状態で嵌め込み部２０を上面部４の被嵌め込み部２１に着脱自在に嵌め込むことで、小椅子９が横ずれして上面部４から脱落しないようになっている。
【００２１】
浴室１の洗い場に面した壁２には取付け部３が設けてある。この取付け部３は壁２と一体に形成してもよいが、別体の取付け具を壁２に固着することで壁２に取付け部３を設けてもよい。洗い場に面した壁２に取付け部３を設ける位置は、壁２に設けたカラン装置１８の下方位置とする。
【００２２】
添付図面に示す実施形態では取付け部３は壁２から断面Ｌ状となったＬ状部３ａが突出している。
【００２３】
この浴室１の壁２に取付けた取付け部３には前述のカウンター兼椅子部材７が着脱自在に取付けることができるようになっている。すなわち、図２（ａ）（ｂ）に示すように、カウンター兼椅子部材７の後の脚部６の開口部１５を上記取付け部３のＬ状部３ａに入れるようにして被取付け部８である開口部１５の上の縁部８ａを上記Ｌ状部３ａに引っ掛け係止することでカウンター兼椅子部材７を壁２に沿って取付けるものである。このカウンター兼椅子部材７の壁２への取付け状態でカウンター兼椅子部材７の脚部６が浴室１の洗い場の床５に設置されると共に上面部４がカラン装置１８の下方に位置して、洗面器、石鹸、シャンプー等を載置できる壁２に沿ったカウンターとなる。
【００２４】
一方、カウンター兼椅子部材７は被取付け部８を取付け部３から外して、洗い場の床５の任意の位置に設置することで、図４のように椅子として使用することができる。この場合はカウンター兼椅子部材７の上面部４が椅子の座部となる。
【００２５】
なお、カウンター兼椅子部材７を壁２から取り外すと、壁２から突出するカウンターが存在しなくなるので、カウンター無しのプランとすることができ、狭い浴室１においてもカウンターが邪魔にならないようにできる。
【００２６】
カウンター兼椅子部材７を壁２から取り外した場合、取付け部３が壁２から突出した状態で露出するが、この場合、取付け部３にカウンター兼椅子部材７の後の脚部６に設けた被取付け部３を着脱自在に取付けるものであるから、取付け部３の壁２からの突出長はごく僅かな突出長でよく、したがって、カウンター兼椅子部材７を取り外した場合に取付け部３が邪魔にならない。また、このようにカウンター兼椅子部材７の後端部のみを引掛け係止することで取付けるようにしたにもかかわらず、カウンター兼椅子部材７を壁２に取付けた状態では脚部６が洗い場の床５に設置されるので、カウンター兼椅子部材７の上面部４に重いもの、例えば湯水を入れた洗面器を載せても安定したカウンターとして使用できる。
【００２７】
本発明においては、上記のようにカウンター兼椅子部材７を壁２に取付けたカウンターとして使用する際に、カウンター兼椅子部材７から小椅子９を取り出して、図３のようにカウンターとして使用するカウンター兼椅子部材７の前方において該小椅子９を床５に設置することで、小椅子９に座ってカウンターを利用する使用形態とすることができる。
【００２８】
また、図５のように、カウンター兼椅子部材７を壁２から取り外して床５の任意の位置に設置した椅子として使用すると共に、カウンター兼椅子部材７から小椅子９を取り出して該小椅子９を床５の任意の位置に設置することで、大椅子と、小椅子を別々に使用することができ、親子がそれぞれ椅子に座って洗い合うといったことができる。
【００２９】
また、図６のように、小椅子９を浴槽１０の浴水中に沈めて、浴槽１０内で小椅子９に座って半身浴をすることができる。つまり、小椅子９を半身浴用の椅子として利用することができる。
【００３０】
また、図７のように、浴室１の床５に設置したカウンター兼椅子部材７の上面部４に小椅子９を重ねた状態で、小椅子９の上面部１２が浴槽１０のフランジ部１１と同じレベルとなるように設定しておくと、被取付け部８を取付け部３から外して浴槽１０に隣接して洗い場の床５に設置すると共に、該カウンター兼椅子部材７の上面部４に小椅子９を重ねることで、小椅子９の上面部１２が浴槽１０のフランジ部１１と同じレベルとなるため、このようにした状態で小椅子９の上面部１２とこれに同じレベルで連続する浴槽１０のフランジ部１１にかけて座って、両足を浴槽１０内に入れることで、安定した座り姿勢で足浴をすることができる。
【００３１】
つまり、一般に浴槽１０のフランジ部１１は狭いのでフランジ部１１に座って両足を浴槽１０内に入れて足浴をしようとしても、座り姿勢が不安定となるが、上記のようにカウンター兼椅子部材７の上面部４に小椅子９を重ね、小椅子９の上面部１２とこれに同じレベルで連続する浴槽１０のフランジ部１１にかけて座ることで、安定した座り姿勢で足浴をすることができることになる。
【図面の簡単な説明】
【００３２】
【図１】本発明カウンター兼椅子部材を壁から取り外し且つ小椅子を分離した状態の分解斜視図である。
【図２】同上のカウンター兼椅子部材の壁への取付け状態を示し、（ａ）は要部斜視図であり、（ｂ）は要部断面図である。
【図３】同上の一使用形態を示す斜視図である。
【図４】同上の他の使用形態を示す斜視図である。
【図５】同上の更に他の使用形態を示す斜視図である。
【図６】同上の更に他の使用形態を示す斜視図である。
【図７】同上の更に他の使用形態を示す斜視図である。
【符号の説明】
【００３３】
１  浴室
２  壁
３  取付け部
４  上面部
５  床
６  脚部
７  カウンター兼椅子部材
８  被取付け部
９  小椅子
１０  浴槽
１１  フランジ部
【図１】
2008029430.tif 000003
【図２】
2008029430.tif 000004
【図３】
2008029430.tif 000005
【図４】
2008029430.tif 000006
【図５】
2008029430.tif 000007
【図６】
2008029430.tif 000008
【図７】
2008029430.tif 000009